(57)【要約】  【課題】搬送中における異常画像の発生を防止すると共に、経時における異常画像の発生を防止することが可能な画像形成装置を提供する。  【解決手段】定着手段に対してトナー画像が転写された転写紙を案内するガイド板１１を備えたガイド部材２５であって、搬送される転写紙上のトナー画像に対して電荷を付与する電荷付与手段２１を設けた。【選択図】図２
2011048338.tif 000002
【特許請求の範囲】
【請求項１】
定着手段に対してトナー画像が転写された転写紙を案内するガイド板を備えたガイド部材であって、搬送される前記転写紙上のトナー画像に対して電荷を付与する電荷付与手段を有することを特徴とするガイド部材。
【請求項２】
請求項１記載のガイド部材において、
前記転写紙の紙種や環境等の通紙条件に応じて付与する電荷量を制御する制御手段を有することを特徴とするガイド部材。
【請求項３】
請求項１または２記載のガイド部材において、
前記電荷付与手段を保護する開閉自在の電荷付与手段保護部材を有することを特徴とするガイド部材。
【請求項４】
請求項２または３記載のガイド部材において、
前記ガイド板の表面電位を検知する表面電位検知手段を有することを特徴とするガイド部材。
【請求項５】
請求項４記載のガイド部材において、
前記表面電位検知手段は転写紙の非通紙時に検知を行うことを特徴とするガイド部材。
【請求項６】
請求項４または５記載のガイド部材において、
前記表面電位検知手段を保護する開閉自在の表面電位検知手段保護部材を有することを特徴とするガイド部材。
【請求項７】
定着手段に対してトナー画像が転写された転写紙を案内するガイド板を備えたガイド部材であって、搬送される前記転写紙上のトナー画像に対して電荷を付与する電荷付与手段と、前記転写紙の紙種や環境等の通紙条件に応じて付与する電荷量を制御する制御手段と、前記ガイド板の表面電位を検知する表面電位検知手段とを有し、前記表面電位検知手段は転写紙の非通紙時に検知を行うと共に、前記電荷付与手段を保護する第１の態位と前記表面電位検知手段を保護する第２の態位とに変位自在な保護部材を有し、前記保護部材は転写紙の通紙時に第２の態位を占め転写紙の非通紙時に第１の態位を占めることを特徴とするガイド部材。
【請求項８】
請求項１ないし７の何れか１つに記載のガイド部材において、
前記定着手段と前記電荷付与手段との間に断熱部材を有することを特徴とするガイド部材。
【請求項９】
請求項１ないし８の何れか１つに記載のガイド部材において、
前記電荷付与手段から前記転写紙上のトナー画像に対する電荷の付与は前記トナー画像の先端から開始され前記トナー画像の後端にて終了することを特徴とするガイド部材。
【請求項１０】
請求項４記載のガイド部材において、
前記表面電位検知手段は転写紙搬送方向に移動可能であることを特徴とするガイド部材。
【請求項１１】
請求項４記載のガイド部材において、
前記電荷付与手段は転写紙の非通紙時に前記ガイド板の表面を除電して前記ガイド板の表面電位を調整することを特徴とするガイド部材。
【請求項１２】
請求項１１記載のガイド部材において、
前記電荷付与手段は転写紙搬送方向に移動可能であることを特徴とするガイド部材。
【請求項１３】
請求項１１記載のガイド部材において、
前記ガイド板の転写紙搬送方向上流側に設けられた第２ガイド板を有し、転写紙の非通紙時に第２ガイド板の表面を除電して第２ガイド板の表面電位を調整する第２電荷付与手段を有することを特徴とするガイド部材。
【請求項１４】
請求項１２記載のガイド部材において、
前記ガイド板の転写紙搬送方向上流側に設けられた第２ガイド板を有し、前記電荷付与手段は転写紙の非通紙時に第２ガイド板の表面を除電して第２ガイド板の表面電位を調整することを特徴とするガイド部材。
【請求項１５】
請求項１ないし１４の何れか１つに記載のガイド部材と定着手段とを有することを特徴とする定着装置。
【請求項１６】
請求項１５記載の定着装置を有することを特徴とする画像形成装置。
【請求項１７】
請求項１ないし１４の何れか１つに記載のガイド部材を有することを特徴とする画像形成装置。
【発明の詳細な説明】
【技術分野】
【０００１】
本発明は画像形成装置に関し、詳しくは定着に送られる転写紙の搬送をガイドするガイド部材に関する。
【背景技術】
【０００２】
従来、フルカラーの縦搬送システムを搭載した画像形成装置では、紙種、環境、通紙モード（フルカラー、黒単色、片面通紙、両面通紙等）等に応じて転写後における転写紙上のトナー電荷量が異なるため、搬送ガイド部材と転写紙上トナーとの電位差が生じることにより搬送中に搬送チリ等の異常画像が発生する場合があり、この問題に対応すべく転写後に転写紙の除電が行われている。しかし、幅広い用紙対応が要求される近年の画像形成装置では、転写後の除電のみでは不十分となる場合がある。また、定着部入口での搬送ガイド部材の表面は絶縁体や中抵抗のものが多いために転写紙との摩擦帯電によって搬送ガイド部材の表面電位は通紙毎に上昇し、経時において上述した電位差による搬送チリ等の異常画像が発生し易くなることが考えられる。
【０００３】
そこで、転写後の剥離電極部材に印加するバイアスを通紙条件に応じて制御する技術が例えば「特許文献１」に開示されている。また、絶縁体裏面からバイアスを印加して搬送ガイド部材表面の電位を調整する技術が例えば「特許文献２」に開示されている。
【発明の概要】
【発明が解決しようとする課題】
【０００４】
しかし、「特許文献１」に開示された技術では除電後の搬送ガイド部材の表面電位が経時的に上昇していくことによる搬送チリ等の異常画像の発生は防止できず、「特許文献２」に開示された技術では転写紙上のトナーの電位は制御できないといった問題点がある。本発明は上述した問題を解決し、搬送中における異常画像の発生を防止すると共に、経時における異常画像の発生を防止することが可能な画像形成装置の提供を目的とする。
【課題を解決するための手段】
【０００５】
請求項１記載の発明は、定着手段に対してトナー画像が転写された転写紙を案内するガイド板を備えたガイド部材であって、搬送される前記転写紙上のトナー画像に対して電荷を付与する電荷付与手段を有することを特徴とする。
【０００６】
請求項２記載の発明は、請求項１記載のガイド部材において、さらに前記転写紙の紙種や環境等の通紙条件に応じて付与する電荷量を制御する制御手段を有することを特徴とする。
【０００７】
請求項３記載の発明は、請求項１または２記載のガイド部材において、さらに前記電荷付与手段を保護する開閉自在の電荷付与手段保護部材を有することを特徴とする。
【０００８】
請求項４記載の発明は、請求項２または３記載のガイド部材において、さらに前記ガイド板の表面電位を検知する表面電位検知手段を有することを特徴とする。
【０００９】
請求項５記載の発明は、請求項４記載のガイド部材において、さらに前記表面電位検知手段は転写紙の非通紙時に検知を行うことを特徴とする。
【００１０】
請求項６記載の発明は、請求項４または５記載のガイド部材において、さらに前記表面電位検知手段を保護する開閉自在の表面電位検知手段保護部材を有することを特徴とする。
【００１１】
請求項７記載の発明は、定着手段に対してトナー画像が転写された転写紙を案内するガイド板を備えたガイド部材であって、搬送される前記転写紙上のトナー画像に対して電荷を付与する電荷付与手段と、前記転写紙の紙種や環境等の通紙条件に応じて付与する電荷量を制御する制御手段と、前記ガイド板の表面電位を検知する表面電位検知手段とを有し、前記表面電位検知手段は転写紙の非通紙時に検知を行うと共に、前記電荷付与手段を保護する第１の態位と前記表面電位検知手段を保護する第２の態位とに変位自在な保護部材を有し、前記保護部材は転写紙の通紙時に第２の態位を占め転写紙の非通紙時に第１の態位を占めることを特徴とする。
【００１２】
請求項８記載の発明は、請求項１ないし７の何れか１つに記載のガイド部材において、さらに前記定着手段と前記電荷付与手段との間に断熱部材を有することを特徴とする。
【００１３】
請求項９記載の発明は、請求項１ないし８の何れか１つに記載のガイド部材において、さらに前記電荷付与手段から前記転写紙上のトナー画像に対する電荷の付与は前記トナー画像の先端から開始され前記トナー画像の後端にて終了することを特徴とする。
【００１４】
請求項１０記載の発明は、請求項４記載のガイド部材において、さらに前記表面電位検知手段は転写紙搬送方向に移動可能であることを特徴とする。
【００１５】
請求項１１記載の発明は、請求項４記載のガイド部材において、さらに前記電荷付与手段は転写紙の非通紙時に前記ガイド板の表面を除電して前記ガイド板の表面電位を調整することを特徴とする。
【００１６】
請求項１２記載の発明は、請求項１１記載のガイド部材において、さらに前記電荷付与手段は転写紙搬送方向に移動可能であることを特徴とする。
【００１７】
請求項１３記載の発明は、請求項１１記載のガイド部材において、さらに前記ガイド板の転写紙搬送方向上流側に設けられた第２ガイド板を有し、転写紙の非通紙時に第２ガイド板の表面を除電して第２ガイド板の表面電位を調整する第２電荷付与手段を有することを特徴とする。
【００１８】
請求項１４記載の発明は、請求項１２記載のガイド部材において、さらに前記ガイド板の転写紙搬送方向上流側に設けられた第２ガイド板を有し、前記電荷付与手段は転写紙の非通紙時に第２ガイド板の表面を除電して第２ガイド板の表面電位を調整することを特徴とする。
【００１９】
請求項１５記載の発明は、請求項１ないし１４の何れか１つに記載のガイド部材と定着手段とを有する定着装置であることを特徴とする。
【００２０】
請求項１６記載の発明は、請求項１５記載の定着装置を有する画像形成装置であることを特徴とする。
【００２１】
請求項１７記載の発明は、請求項１ないし１４の何れか１つに記載のガイド部材を有する画像形成装置であることを特徴とする。
【発明の効果】
【００２２】
本発明によれば、搬送される転写紙上のトナー画像に対応して電荷を付与する電荷付与手段を有することにより、幅広い転写紙への対応が要求される画像形成装置において、搬送中の転写紙上のトナーとガイド板との間に電位差が生じてしまうことに対し、転写紙上のトナー画像に電荷を与えることにより両者間の電位差を小さくすることができ、搬送チリ等の異常画像の発生を防止することができる。
【図面の簡単な説明】
【００２３】
【図１】本発明の一実施形態を採用可能な画像形成装置の概略正面図である。
【図２】本発明の第１の実施形態に用いられるガイド部材の概略図である。
【図３】本発明の第２の実施形態に用いられるガイド部材の非通紙時における概略図である。
【図４】本発明の第２の実施形態に用いられるガイド部材の通紙時における概略図である。
【図５】本発明の第２の実施形態の動作を説明するフローチャートである。
【図６】本発明の一実施形態に用いられる制御手段のブロック図である。
【図７】本発明の第３の実施形態に用いられるガイド部材の通紙時における概略図である。
【図８】本発明の第４の実施形態に用いられる電位検知装置を示す概略図である。
【図９】本発明の第５の実施形態に用いられる電荷付与装置を示す概略図である。
【図１０】本発明の第６の実施形態を採用した画像形成装置の概略正面図である。
【図１１】本発明の一実施形態における転写紙間にガイド板の除電を行う場合を説明するタイムチャートである。
【発明を実施するための形態】
【００２４】
図１は、本発明の一実施形態を採用可能な画像形成装置を示している。この画像形成装置は、イエロ（Ｙ）、シアン（Ｃ）、マゼンタ（Ｍ）の３つの画像形成ユニットが中間転写ベルトに沿って直列に配置されたタンデム方式であり、ブラック（Ｂ）の画像形成ユニットは上述のタンデム配列よりも転写紙搬送方向上流側に独立して配置されたカラーデジタル複合機であり、本実施形態ではブラックの画像形成ユニットによって形成された像が転写紙に直接転写される。各画像形成ユニットは、感光体ドラム１、帯電装置２、レーザにより感光体ドラム１上に静電潜像を形成する露光装置５、トナーを静電潜像に供給してトナー像を形成する現像装置３、クリーニング装置４等を備えている。本実施形態で示すクリーニング装置４はブレードタイプであるが、ファーブラシローラ、磁気ブラシクリーニング方式を用いてもよい。露光装置５もレーザ方式に代えてＬＥＤ方式等を採用してもよい。
【００２５】
スキャナで読み取られた原稿、ファクシミリ等の受信データ、コンピュータから送信されるカラー画像情報は、イエロ、シアン、マゼンタ、ブラックの各色に色分解され、各色の版のデータが形成されてこれが各色の画像形成ユニットの露光装置５に送られる。均一に帯電された感光体ドラム１は、露光装置５からのレーザにより画像部を露光され、現像装置３によってトナー像を形成される。各感光体ドラム１Ｙ，１Ｃ，１Ｍ上に作成されたカラートナー像はタイミングを合わせて中間転写ベルト６上に重畳転写され、感光体ドラム１Ｂ上に作成されたブラックトナー像は転写紙搬送ベルト８によって搬送される転写紙に直接転写される。その後、中間転写ベルト６上のカラートナー像が転写紙上に転写される。従って転写紙搬送ベルト８は、ブラックトナー像の転写部では直接転写ベルトとして機能し、中間転写ベルト６上のカラートナー像の転写部では２次転写ベルトとして機能する。転写紙上に転写された画像は最後に定着装置７において定着され、カラー画像が形成される。
【００２６】
本実施形態ではブラックトナー像を転写紙に対して直接転写する構成を採用しているが、この構成によれば構成部品を少なくすることができるという利点と、露光装置５からのレーザ光が他色のレーザ光と同方向に書き込みができるという利点とがある。本発明はこの構成には限定されず、中間転写ベルトや中間転写ドラムを介してトナー像を転写紙に転写する構成であってもよい。ただし、この場合には露光装置５からのブラック画像レーザ光が他色のレーザ光とは鏡像の関係となり、書き込み制御が複雑となる。
【００２７】
一方モノクロ画像作成時には、形成されたブラックの画像データに基づいて露光装置５からのレーザ光により感光体ドラム１Ｂ上の画像部が露光され、現像装置３によって作成されたトナー像が転写紙搬送ベルト８によって搬送される転写紙に直接転写され、転写された画像が定着装置７によって定着されてモノクロ画像が形成される。このモノクロ画像形成時には、中間転写ベルト６と転写紙搬送ベルト８との接触状態が図示しない機構により解除されて両者は離間しており、イエロ、シアン、マゼンタの各色画像形成ユニット及び中間転写ベルト６は動作しない。これによりイエロ、シアン、マゼンタの各画像形成ユニット及び中間転写ベルト６の長寿命化を図ることができるという副次的な利点がある。ブラックの画像形成ユニットは他色の画像形成ユニットとは独立して配置されているので、ブラックの作像工程に他色の逆転写トナーが混入することがないため、感光体ドラム１Ｂより回収されたトナーは図示しないブラックトナー回収経路でブラックの現像装置３へと運ばれて再利用される。このブラックトナー回収経路の途中に、紙粉除去を行う装置やトナーを廃棄する経路に切り替え可能な装置を設けてもよい。
【００２８】
以下、本発明の特徴部であるガイド部材について説明する。第１の実施形態では、図１における定着装置７の入口に設けられたガイド板１１に本発明を適用した場合を説明する。ガイド板１１は板金部材であり、その表面にはフッ素樹脂等の絶縁物質がコーティングされている。ガイド板１１を板金部材とする理由として、定着時に発生する熱の影響が小さく反りが少なくなるために転写紙に発生する搬送シワに対して有利であることが挙げられる。しかし、ガイド板１１の表面が金属である場合には、搬送中の転写紙上に転写されたトナーとの間に急激な電位差が生じて搬送チリ等の異常画像が発生してしまうため、ガイド板１１の表面には絶縁物質がコーティングされている。通常、転写後の工程に紙除電機構が設けられている場合があるが、幅広い用紙対応や環境対応が要求される画像形成装置においては、このような紙除電のみでは画像品質を保つことが困難な場合がある。
【００２９】
本発明の第１の実施形態を示す図２において、転写紙搬送経路を介してガイド板１１と対向する位置には搬送中の転写紙上トナー画像に対して電荷を付与する電荷付与手段としての電荷付与装置２１が配設されており、この電荷付与装置２１には紙種や環境等の通紙条件に応じて適した電荷量を調整するための制御手段としての電荷調整装置２４が接続されている。電荷付与装置２１の近傍にはガイド板１１の表面電位を計測する表面電位検知手段としての電位検知装置２２が配設されており、電位検知装置２２も電荷調整装置２４に接続されている。これらガイド板１１、電荷付与装置２１、電位検知装置２２、電荷調整装置２４により本発明のガイド部材２５が構成されている。
【００３０】
電荷付与装置２１としては、非接触状態で電荷付与を行うことが可能な例えばチャージャが挙げられ、このチャージャにどの程度の電圧を印加するかを調節する役割を電荷調整装置２４が担っている。中間転写方式に限らず、直接転写方式を採用した場合においても一般的にＡ４サイズの片面画像形成速度が３０〜５０枚／分の画像形成装置であれば、電荷付与装置２１には４ｋＶ程度までの電圧を印加することになる。定着装置７の交換を考慮に入れると、電荷付与装置２１を定着装置７内に配置し、電荷調整装置２４を画像形成装置本体側に配置する構成が、コスト面からは有利である。電位検知装置２２は、主に経時でのガイド板１１の表面電位の上昇を検知する目的で配置されている。図２に示すように、電荷付与装置２１と電位検知装置２２とを並設した場合には、通紙時に電荷付与装置２１が転写紙上のトナーに電荷を付与し、非通紙時に電位検知装置２２がガイド板１１の表面電位を計測する。電荷調整装置２４は、上述した通紙条件及び画像形成条件を基にした転写紙上のトナー電位の目標値及び電位検知装置２２が検知したガイド板１１の表面電位を基とし、これに補正を行った電荷量が電荷付与装置２１からガイド板１１に付与されるように電荷付与装置２１に印加する電圧を制御する。電荷調整装置２４の制御ブロック図を図６に示す。
【００３１】
上述の構成により、搬送される転写紙上のトナー画像に対応して電荷を付与する電荷付与装置２１を有することにより、幅広い転写紙への対応が要求される画像形成装置において、搬送中の転写紙上のトナーとガイド板１１との間に電位差が生じてしまうことに対し、転写紙上のトナー画像に電荷を与えることにより両者間の電位差を小さくすることができ、搬送チリ等の異常画像の発生を防止することができる。また、紙種や環境等の通紙条件に応じて付与する電荷量を制御する制御手段を有することにより、画像品質のロバスト性を高めることができる。また、ガイド板１１の表面電位を検知する電位検知装置２２を有することにより、経時において表面電位が上昇するガイド板１１と転写紙上のトナー画像との電位差をより精度よく小さくすることができ、特に経時における搬送チリ等の異常画像の発生を防止することができる。さらに、電位検知装置２２が転写紙の非通紙時に検知を行うことにより、特に経時で精度よく電荷を付与することができ、経時における搬送チリ等の異常画像の発生を防止することができる。また、ガイド部材２５を定着装置７に配置することにより、通常定着装置７内に配置されているガイド板１１に対して電荷付与装置２１の配置平行度の精度が悪い場合には画像の左右で電荷量が異なる場合があるが、電荷付与装置２１も定着装置７内に配置することによりこのような不具合の発生を防止することができる。
【００３２】
上述した第１の実施形態では、定着装置７内の定着ニップ部近傍において飛散及び浮遊するトナーや紙粉が存在するため、これらの浮遊物により電荷付与装置２１及び電位検知装置２２が悪影響を受ける懸念がある。そこで本発明の第２の実施形態では、図３に示すように電荷付与装置２１及び電位検知装置２２を浮遊物から守るための保護部材２３を有する構成を採用している。この保護部材２３は、各装置２１，２２にそれぞれ個別に設けることも可能であるが、画像形成装置の小型化や線速アップによる定着部材の大径かが進むとスペース的に余裕が減少するため、また各装置２１，２２は通紙時と非通紙時とでそれぞれ交互に機能するため、図３及び図４に示すように１つの保護部材２３によって各装置２１，２２を保護する構成を採用している。保護部材２３は、ソレノイドやモータ等のアクチュエータによって移動可能に構成されており、転写紙の非通紙時には図３に示すように電荷付与装置２１を保護する第１の態位を占め、転写紙Ｐの通紙時には図４に示すように電位検知装置２２を保護する第２の態位を占める。保護部材２３の移動タイミングを画像形成装置の画像書き込みタイミングに一致させることにより、保護部材２３の移動制御を容易化することができる。保護部材２３の変位動作を含むガイド部材２５の動作フローチャートを図５に示す。
【００３３】
上述の構成により、非通紙時にガイド板１１の表面に付着したトナーや紙粉等の浮遊物が電荷付与装置２１に付着することを防止でき、電荷付与装置２１の誤作動を防止できると共に長寿命化を図ることができる。また、通紙時に転写紙上のトナーや紙粉等の浮遊物が電位検知装置２２に浮遊及び付着することを防止でき、異常画像の発生を防止できると共に電位検知装置２２の長寿命化を図ることができる。さらに、各装置２１，２２において保護部材２３を共通化することにより、構成の簡易化、コストダウン及び装置の小型化を図ることができる。
【００３４】
図７は、本発明の第３の実施形態を採用したガイド部材２８を示している。この第３の実施形態は、図３及び図４に示した第２の実施形態と比較すると、電位検知装置２２の上方であって定着手段としての定着ローラ２６との間に断熱部材２７を有する点においてのみ相違しており、他の構成は同一である。
【００３５】
断熱部材２７は、定着ローラ２６の熱によって電荷付与装置２１及び電位検知装置２２が変形したり誤動作等の故障を発生したりすることを防止すべく配置されており、材質としてはシリコーンゴム、耐熱性樹脂、耐熱フェルト等が好適に用いられ、形状としては板状等、効果的に断熱効果が得られる形状であればどのような形状でもよい。この構成により、電荷付与装置２１及び電位検知装置２２が定着ローラ２６の近傍に配置されていても装置の変形や故障の発生を防止することができ、電荷付与位置や電位検知位置の位置ずれを小さくすることにより定着温度の違い（例えば定着立ち上がり時と定常時等）により搬送チリが発生することを効果的に防止することができる。
【００３６】
また上述した実施形態では、転写紙Ｐの先端から電荷付与装置２１によって転写紙Ｐ上のトナー画像に対して電荷を付与する構成としたが、図７に示すように転写紙Ｐ上に形成されたトナー画像の範囲を画像処理段階で把握し、転写紙Ｐの先端からではなく画像先端位置Ａから電荷付与装置２１によって電荷を付与し、トナー画像の後端で電荷付与が終了する構成としてもよい。このような構成とすることにより、画像面積の違いによる転写紙上トナーの電荷量（Ｑ／Ｍ）がばらつくことを抑制でき、かた非画像部に余計な電力を消費することなく搬送チリの発生を防止でき省電力を図ることができる。
【００３７】
図８は、本発明の第４の実施形態に用いられる表面電位検知手段としての電位検知装置を示している。この電位検知装置２９は、上述した電位検知装置２２と比較すると、転写紙搬送方向に移動可能に構成されている点においてのみ相違しており、他の構成は同一である。
【００３８】
電位検知装置２９の一端にはラック３０が固定されており、このラック３０には画像形成装置の装置本体に取り付けられた図示しない駆動モータの出力軸に固着された駆動ギヤ３１が噛合している。図示しない駆動モータの作動により駆動ギヤ３１が回転駆動され、これによりラック３０を介して電位検知装置２９が転写紙搬送方向である矢印Ａ方向に移動される。ガイド部材２８を構成するガイド板１１は転写紙Ｐとの摩擦帯電により表面電位が上昇するが、この表面電位の変化が転写紙搬送方向において一様であるとは限らない。上述の構成では電位検知装置２９が転写紙搬送方向に移動可能であるため、ガイド板１１における最も表面電位が高い位置を検出することができ、電荷付与装置２１により付与する電荷の精度を高めることによりさらに搬送チリの発生を防止することができる。
【００３９】
上述した各実施形態の変形例として、経時におけるガイド板１１の表面電位が上昇することを抑制するため、転写紙Ｐの非通紙時において電荷付与装置２１によりガイド板１１の表面を放電除電する構成としてもよい。これにより、経時におけるガイド板１１の表面電位が上昇することを抑制することができ、搬送チリの発生を防止することができる。
【００４０】
図９は、本発明の第５の実施形態に用いられる電荷付与手段としての電荷付与装置を示している。この電荷付与装置３２は、上述した電荷付与装置２１と比較すると、転写紙搬送方向に移動可能に構成されている点においてのみ相違しており、他の構成は同一である。
【００４１】
電荷付与装置３２の一端にはラック３３が固定されており、このラック３３には画像形成装置の装置本体に取り付けられた図示しない駆動モータの出力軸に固着された駆動ギヤ３４が噛合している。図示しない駆動モータの作動により駆動ギヤ３４が回転駆動され、これによりラック３３を介して電荷付与装置３２が転写紙搬送方向である矢印Ａ方向に移動される。この構成により、ガイド板１１の端部等に残留した表面電位を確実に除電することができ、ガイド板１１の転写紙搬送方向における表面電位の除電ムラをなくすことにより確実に搬送チリの発生を防止することができる。
【００４２】
図１０は、本発明の第６の実施形態を採用した画像形成装置を示している。この画像形成装置は図１に示した画像形成装置と比較すると、転写搬送ベルト８に代えて２次転写ローラ９を有する点、電荷付与装置２１に代えて電荷付与装置３２を有している点、ガイド板１１の転写紙搬送方向上流側に転写紙の搬送をガイドする第２ガイド板３５を有する点においてのみ相違しており、他の構成は同一である。
【００４３】
電荷付与装置３２は図示しない駆動モータの作動により移動され、ガイド板１１を放電除電する図１０に実線で示す位置と第２ガイド板３５を放電除電する図１０に二点差線で示す位置との間を任意に占める。電荷付与装置３２の移動範囲は、ガイド板１１の転写紙搬送方向下流側端部から第２ガイド板３５の転写紙搬送方向上流側端部までを網羅する範囲に設定されている。この構成により、転写紙の非通紙時に電荷付与装置３２が第２ガイド板３５をも除電するので、第２ガイド板３５を有する構成の画像形成装置であっても搬送チリの発生を防止することができる。
【００４４】
第６の実施形態では、電荷付与装置として転写紙搬送方向に移動可能な電荷付与装置３２を用いる構成としたが、移動不可である電荷付与装置２１を用い、この電荷付与装置２１をガイド板１１に対応する位置と第２ガイド板３５に対応する位置との２箇所に設け、各ガイド板１１，３５をそれぞれ対応する電荷付与装置２１によって転写紙の非通紙時に放電除電する構成としてもよい。このとき第２ガイド板３５と対応して設けられた電荷付与装置２１は第２電荷付与手段として機能する。これにより第６の実施形態と同様の作用効果を得ることができる。
【００４５】
上述したように、転写紙の非通紙時においてガイド板１１あるいはガイド板３５を除電する場合には、図１１のタイムチャートに示すように通紙される転写紙間において除電を行うことも可能である。この構成では２次転写電流が０となった時点から転写紙の後端がガイド部材１１を通過した後に電荷付与装置２１に電圧が印加されるため、図１１に示すタイムチャートではタイムラグが生じているように表現している。転写紙間の間隔が十分に長い画像形成装置では、上述した通紙中における転写紙上トナーの電荷付与手段は不要となる。
【００４６】
また、ガイド部材１１の表面電位上昇量が小さい画像形成装置では通紙中において転写紙上トナーに電荷を付与する方式を採用し、転写紙間の間隔が十分に長い画像形成装置では非通紙時にガイド部材１１の表面を除電する方式を採用し、転写紙間の間隔が短い画像形成装置では通紙中において転写紙上トナーに電荷を付与する方式と非通紙時にガイド部材１１の表面を除電する方式を組み合わせた方式を採用することにより、搬送チリの発生を効果的に防止することが可能となる。ただし組み合わせ方式の場合には、上述した保護部材２３は不要となる。
【００４７】
上述した実施形態では画像形成装置として複合機を用いた例を示したが、本発明が適用可能な画像形成装置はこれに限られず、複写装置、プリンタ、ファクシミリ、プロッタ等の他の画像形成装置にも本発明は適用可能である。
【符号の説明】
【００４８】
１１  ガイド板
２１，３２  電荷付与手段（電荷付与装置）
２２  表面電位検知手段（電位検知装置）
２３  表面電位検知手段保護部材（保護部材）
２４  制御手段（電荷調整装置）
２５，２８  ガイド部材
２６  定着手段（定着ローラ）
２７  断熱部材
３５  第２ガイド板
【先行技術文献】
【特許文献】
【００４９】
【特許文献１】特許第３７６７６６１号公報
【特許文献２】特開２００４−１４５０２１号公報
【図１】
2011048338.tif 000003
【図２】
2011048338.tif 000004
【図３】
2011048338.tif 000005
【図４】
2011048338.tif 000006
【図５】
2011048338.tif 000007
【図６】
2011048338.tif 000008
【図７】
2011048338.tif 000009
【図８】
2011048338.tif 000010
【図９】
2011048338.tif 000011
【図１０】
2011048338.tif 000012
【図１１】
2011048338.tif 000013